(57)【特許請求の範囲】
【請求項１】
エレベータのかご内に設置された表示装置と、
前記表示装置の表示制御を行う表示制御装置と、
前記エレベータが設置された建造物における消費電力量を電力消費実績情報として蓄積する電力消費実績情報記憶手段と、
を有し、
前記表示制御装置は、
前記電力消費実績情報記憶手段に蓄積された電力消費実績情報を取得する電力消費実績情報取得手段と、
前記電力消費実績情報取得手段により取得された電力消費実績情報に基づいて、消費電力量に関する電力情報を、前記建造物の階毎に生成する電力情報生成手段と、
乗客が前記かごに乗り込んだ階又は乗客により指定された行き先階に関するログ情報に基づいて日常の業務が行われる居室のない非居室階を特定する特定手段と、
前記電力情報生成手段により生成された電力情報のうち、前記非居室階を除く、乗客が前記かごに乗り込んだ階又は当該乗客の行き先階の少なくとも一方の階の電力情報を、当該乗客に関連する消費電力情報として前記表示装置に表示させる表示制御手段と、
を有することを特徴とする電力情報表示システム。
【請求項２】
エレベータのかご内に設置された表示装置と、
前記表示装置の表示制御を行う表示制御装置と、
前記エレベータが設置された建造物内において各個人が使用する電気機器の消費電力量を測定する測定手段と、
前記測定手段により測定された各個人における消費電力量及び当該個人の個人識別情報を含む電力消費実績情報を蓄積する電力消費実績情報記憶手段と、
前記かごの乗客の個人識別情報を取得する個人識別情報取得手段と、
を有し、
前記表示制御装置は、
前記個人識別情報取得手段により取得された個人識別情報に対応する電力消費実績情報を前記電力消費実績情報記憶手段から少なくとも取得する電力消費実績情報取得手段と、
前記電力消費実績情報取得手段により取得された電力消費実績情報に基づいて、消費電力量に関する電力情報を前記かごの乗客毎に生成する電力情報生成手段と、
前記電力情報生成手段により生成された電力情報を、当該乗客に関連する消費電力情報として前記表示装置に表示させる表示制御手段と、
前記個人識別情報取得手段により取得された乗客の個人識別情報と当該乗客の行き先階とを対応付ける対応付け手段と、
を有し、
前記表示制御手段は、現時点における前記かごの停止階から次に停止すべき行き先階との間は、次に停止すべき行き先階で前記かごから降りる予定の乗客の電力情報を前記表示装置に表示させることを特徴とする電力情報表示システム。
【請求項３】
前記表示制御手段は、電力情報生成手段により生成された電力情報を参照して、自己の電気機器が設置された空間から退出した後においても電力を消費している乗客に対する警告情報を前記表示装置に表示させることを特徴とする請求項２に記載の電力情報表示システム。
【請求項４】
各個人の電気機器が設置された空間からの当該個人の退出を検出し、その退出が検出された日時情報及び当該個人の個人識別情報を含む退出情報が蓄積される退出情報記憶手段を有し、
前記表示制御装置は、前記個人識別情報取得手段により取得された個人識別情報に対応する退出情報を少なくとも取得する退出情報取得手段を有し、
前記表示制御手段は、退出情報及び電力情報を含む警告情報を前記表示装置に表示させることを特徴とする請求項３に記載の電力情報表示システム。
【請求項５】
エレベータが設置された建造物における消費電力量を電力消費実績情報として蓄積する電力消費実績情報記憶手段から電力消費実績情報を取得する電力消費実績情報取得手段と、
前記電力消費実績情報取得手段により取得された電力消費実績情報に基づいて、消費電力量に関する電力情報を、前記建造物の階毎に生成する電力情報生成手段と、
乗客が前記かごに乗り込んだ階又は乗客により指定された行き先階に関するログ情報に基づいて日常の業務が行われる居室のない非居室階を特定する特定手段と、
前記電力情報生成手段により生成された電力情報のうち、前記非居室階を除く、乗客が前記エレベータのかごに乗り込んだ階又は当該乗客の行き先階の少なくとも一方の階の電力情報を、当該乗客に関連する消費電力情報として前記かご内に設置された表示装置に表示させる表示制御手段と、
を有することを特徴とする電力情報表示制御装置。
【請求項６】
エレベータのかごの乗客の個人識別情報を取得する個人識別情報取得手段により取得された個人識別情報に対応する電力消費実績情報を、各個人における消費電力量及び当該個人の個人識別情報を含む電力消費実績情報を蓄積する電力消費実績情報記憶手段から少なくとも取得する電力消費実績情報取得手段と、
前記電力消費実績情報取得手段により取得された電力消費実績情報に基づいて、消費電力量に関する電力情報を前記かごの乗客毎に生成する電力情報生成手段と、
前記電力情報生成手段により生成された電力情報を、当該乗客に関連する消費電力情報として前記かご内に設置された表示装置に表示させる表示制御手段と、
前記個人識別情報取得手段により取得された乗客の個人識別情報と当該乗客の行き先階とを対応付ける対応付け手段と、
を有し、
前記表示制御手段は、現時点における前記かごの停止階から次に停止すべき行き先階との間は、次に停止すべき行き先階で前記かごから降りる予定の乗客の電力情報を前記表示装置に表示させることを特徴とする電力情報表示制御装置。
【発明の詳細な説明】
【技術分野】
【０００１】
本発明は、電力情報表示システム及び電力情報表示制御装置、特にエレベータのかご内に設置された表示装置に対する電力情報の表示に関する。
【背景技術】
【０００２】
オフィスビル内の執務者の省エネ意識を啓発する目的で、電力情報を「見える化」する技術が種々提案されている。
【０００３】
例えば、特許文献１には、エレベータの消費電力量を測定、蓄積しておき、エレベータに乗り込む際に乗客の個人認証を行い、当該乗客のエレベータの使用に伴い発生した消費電力量をかご内設置の表示装置に表示する技術が記載されている。
【先行技術文献】
【特許文献】
【０００４】
【特許文献１】特開２００８−２５４８８６号公報
【特許文献２】特開２００７−１５８００号公報
【特許文献３】特開２００２−１０９０４０号公報
【特許文献４】特開２０１０−２５４４１０号公報
【特許文献５】特開２００８−１３３０９７号公報
【発明の概要】
【発明が解決しようとする課題】
【０００５】
本発明の目的は、建造物全体における電力消費に関する情報をエレベータのかごの乗客に関連する情報に加工してから乗客に提示することである。
【課題を解決するための手段】
【０００６】
本発明に係る電力情報表示システムは、エレベータのかご内に設置された表示装置と、前記表示装置の表示制御を行う表示制御装置と、前記エレベータが設置された建造物における消費電力量を電力消費実績情報として蓄積する電力消費実績情報記憶手段と、を有し、前記表示制御装置は、前記電力消費実績情報記憶手段に蓄積された電力消費実績情報を取得する電力消費実績情報取得手段と、前記電力消費実績情報取得手段により取得された電力消費実績情報に基づいて、消費電力量に関する電力情報を、前記建造物の階毎に生成する電力情報生成手段と、乗客が前記かごに乗り込んだ階又は乗客により指定された行き先階に関するログ情報に基づいて日常の業務が行われる居室のない非居室階を特定する特定手段と、前記電力情報生成手段により生成された電力情報のうち、前記非居室階を除く、乗客が前記かごに乗り込んだ階又は当該乗客の行き先階の少なくとも一方の階の電力情報を、当該乗客に関連する消費電力情報として前記表示装置に表示させる表示制御手段と、を有するものである。
【０００８】
本発明に係る電力情報表示システムは、エレベータのかご内に設置された表示装置と、前記表示装置の表示制御を行う表示制御装置と、前記エレベータが設置された建造物内において各個人が使用する電気機器の消費電力量を測定する測定手段と、前記測定手段により測定された各個人における消費電力量及び当該個人の個人識別情報を含む電力消費実績情報を蓄積する電力消費実績情報記憶手段と、前記かごの乗客の個人識別情報を取得する個人識別情報取得手段と、を有し、前記表示制御装置は、前記個人識別情報取得手段により取得された個人識別情報に対応する電力消費実績情報を前記電力消費実績情報記憶手段から少なくとも取得する電力消費実績情報取得手段と、前記電力消費実績情報取得手段により取得された電力消費実績情報に基づいて、消費電力量に関する電力情報を前記かごの乗客毎に生成する電力情報生成手段と、前記電力情報生成手段により生成された電力情報を、当該乗客に関連する消費電力情報として前記表示装置に表示させる表示制御手段と、前記個人識別情報取得手段により取得された乗客の個人識別情報と当該乗客の行き先階とを対応付ける対応付け手段と、を有し、前記表示制御手段は、現時点における前記かごの停止階から次に停止すべき行き先階との間は、次に停止すべき行き先階で前記かごから降りる予定の乗客の電力情報を前記表示装置に表示させるものである。
【０００９】
また、前記表示制御手段は、電力情報生成手段により生成された電力情報を参照して、自己の電気機器が設置された空間から退出した後においても電力を消費している乗客に対する警告情報を前記表示装置に表示させるものである。
【００１０】
また、各個人の電気機器が設置された空間からの当該個人の退出を検出し、その退出が検出された日時情報及び当該個人の個人識別情報を含む退出情報が蓄積される退出情報記憶手段を有し、前記表示制御装置は、前記個人識別情報取得手段により取得された個人識別情報に対応する退出情報を少なくとも取得する退出情報取得手段を有し、前記表示制御手段は、退出情報及び電力情報を含む警告情報を前記表示装置に表示させるものである。
【００１２】
本発明に係る電力情報表示制御装置は、エレベータが設置された建造物における消費電力量を電力消費実績情報として蓄積する電力消費実績情報記憶手段から電力消費実績情報を取得する電力消費実績情報取得手段と、前記電力消費実績情報取得手段により取得された電力消費実績情報に基づいて、消費電力量に関する電力情報を、前記建造物の階毎に生成する電力情報生成手段と、乗客が前記かごに乗り込んだ階又は乗客により指定された行き先階に関するログ情報に基づいて日常の業務が行われる居室のない非居室階を特定する特定手段と、前記電力情報生成手段により生成された電力情報のうち、前記非居室階を除く、乗客が前記エレベータのかごに乗り込んだ階又は当該乗客の行き先階の少なくとも一方の階の電力情報を、当該乗客に関連する消費電力情報として前記かご内に設置された表示装置に表示させる表示制御手段と、を有するものである。
【００１３】
本発明に係る電力情報表示制御装置は、エレベータのかごの乗客の個人識別情報を取得する個人識別情報取得手段により取得された個人識別情報に対応する電力消費実績情報を、各個人における消費電力量及び当該個人の個人識別情報を含む電力消費実績情報を蓄積する電力消費実績情報記憶手段から少なくとも取得する電力消費実績情報取得手段と、前記電力消費実績情報取得手段により取得された電力消費実績情報に基づいて、消費電力量に関する電力情報を前記かごの乗客毎に生成する電力情報生成手段と、前記電力情報生成手段により生成された電力情報を、当該乗客に関連する消費電力情報として前記かご内に設置された表示装置に表示させる表示制御手段と、前記個人識別情報取得手段により取得された乗客の個人識別情報と当該乗客の行き先階とを対応付ける対応付け手段と、を有し、前記表示制御手段は、現時点における前記かごの停止階から次に停止すべき行き先階との間は、次に停止すべき行き先階で前記かごから降りる予定の乗客の電力情報を前記表示装置に表示させるものである。
【発明の効果】
【００１４】
本発明によれば、建造物全体における電力消費に関する情報を、エレベータのかごの乗客に関連する情報として、乗客がかごに乗り込んだ階又は当該乗客の行き先階の少なくとも一方に対応付けられる空間の電力情報に加工してからかご内に設置の表示装置に表示させることができる。
【００１５】
また、消費電力量に関する電力情報を乗客毎に生成することで、かごの各乗客の消費電力量に関する情報を表示装置に表示させることができる。
【００１６】
また、自己の電気機器が設置された空間から退出した後においても電力を消費している乗客に対する警告情報を表示装置に表示させることができる。
【００１７】
また、乗客が降りる予定の階までの間に、当該乗客に特化した電力情報を表示装置に表示させることができる。
【図面の簡単な説明】
【００１８】
【図１】本発明に係る電力情報表示システムの実施の形態１を示した全体構成図である。
【図２】本発明に係る電力情報表示制御装置の実施の形態１を形成するコンピュータのハードウェア構成図である。
【図３】本発明に係る電力情報表示制御装置の実施の形態１を示したブロック構成図である。
【図４】実施の形態１における表示処理を示したフローチャートである。
【図５】実施の形態１においてかご内の表示装置に表示される電力情報の表示例を示した図である。
【図６】本発明に係る電力情報表示システムの実施の形態２を示した全体構成図である。
【図７】本発明に係る電力情報表示制御装置の実施の形態２を示したブロック構成図である。
【図８】実施の形態２における表示処理を示したフローチャートである。
【図９】実施の形態２においてかご内の表示装置に表示される電力情報の表示例を示した図である。
【図１０】本発明に係る電力情報表示システムの実施の形態３を示した全体構成図である。
【図１１】本発明に係る電力情報表示制御装置の実施の形態３を示したブロック構成図である。
【図１２】実施の形態３における表示処理を示したフローチャートである。
【図１３】実施の形態３においてかご内の表示装置に表示される警告情報の表示例を示した図である。
【図１４】実施の形態４においてかご内の表示装置に表示される電力情報の表示例を示した図である。
【発明を実施するための形態】
【００１９】
以下、図面に基づいて、本発明の好適な実施の形態について説明する。
【００２０】
実施の形態１．
図１は、本発明に係る電力情報表示システムの実施の形態１を示した全体構成図である。図１には、オフィスビル等の建造物内に設置されたエレベータのかご１０、建造物のいずれかの階に設けられている部屋２０、電力消費実績情報データベース（ＤＢ）３１、エレベータ制御装置３２、かご運転ログデータベース（ＤＢ）３３及び電力情報表示制御装置４０が示されている。かご１０には、電力情報等を表示する表示装置１１と乗客が行き先階を指定するための行き先階ボタンが配設された操作盤１２とが設置されている。なお、かご１０の構成は同じでよいので、図１には１台のかご１０のみを図示している。エレベータ制御装置３２は、行き先階ボタンや呼び登録ボタンに対するエレベータ利用者による指示等に基づいてかご１０の運行制御などエレベータ装置の制御全体を行う。かご運転ログデータベース３３には、かご１０が行き来する階に関する情報がかご運転ログとして蓄積される。具体的には、乗客の行き先階ボタンに対する操作により指定された行き先階及びその操作日時を含む操作ログがかご運転ログとして蓄積される。また、行き先階に到着したことに応じてあるいはエレベータ乗り場の呼び登録ボタンに対する操作に応じてかご１０が停止した階及びその停止日時を含む乗降ログがかご運転ログとして蓄積される。エレベータ制御装置３２は、行き先階ボタンに対する操作を検出する度に操作ログを、またかご１０がいずれかの階に停止する度に乗降ログを、それぞれ生成してかご運転ログデータベース３３に登録する。
【００２１】
部屋２０は、オフィスビルの利用者が日常的に利用している居室であり、階によって１又は複数設けられている。各部屋２０には、当該部屋２０で業務を日常的に行っている従業員が使用するパーソナルコンピュータ（ＰＣ）２１、部屋２０に設置された空調機２２及び照明器具２３が設置される。また、電力計測器２４は、当該部屋２０において使用される電力量を計測する。なお、電力計測器２４と部屋２０との対応関係を明確にするために、図１では、電力計測器２４を部屋２０の中に図示したが、必ずしも部屋２０の中に設置する必要はない。また、空調機２２及び照明器具２３が部屋２０において共有される電気機器であるのに対し、ＰＣ２１は、部屋２０の日常利用者が個人的に使用する電気機器を代表させて示している。部屋２０に設置される電気機器の構成は、各部屋２０とも同様でよいので、図１には、１つの部屋２０のみを図示した。
【００２２】
電力消費実績情報データベース３１は、電力消費実績情報記憶手段として設けられ、建造物における消費電力量を電力消費実績情報として蓄積する。具体的には、電力計測器２４により計測された所定期間毎の消費電力量が蓄積される。後述するように、本実施の形態では、階毎の電力情報を表示するので、部屋２０のある階を特定する情報を消費電力量に対応付けて蓄積されてもよい。電力消費実績情報データベース３１は、図示しないビル監視システム又は電力監視システムにより管理される記憶手段を利用してもよい。
【００２３】
電力情報表示制御装置４０は、本実施の形態において特徴的な表示制御装置であり、表示装置１１の表示制御を行うコンピュータにより実現される。
【００２４】
図２は、本実施の形態における電力情報表示制御装置４０を形成するコンピュータのハードウェア構成図である。本実施の形態において電力情報表示制御装置４０を形成するサーバコンピュータは、従前から存在する汎用的なハードウェア構成で実現できる。すなわち、コンピュータは、図２に示したようにＣＰＵ５１、ＲＯＭ５２、ＲＡＭ５３、ハードディスクドライブ（ＨＤＤ）５４を接続したＨＤＤコントローラ５５、通信手段として設けられたネットワークコントローラ５６を内部バス５７に接続して構成される。また、本実施の形態では、特に用いないが、メンテナンスやデータ更新等のために入力手段としてマウスやキーボード、表示手段としてディスプレイをそれぞれ接続する入出力コントローラを設けて内部バス５７を接続するよう構成してもよい。
【００２５】
図３は、本実施の形態における電力情報表示制御装置４０を示したブロック構成図である。本実施の形態における電力情報表示制御装置４０は、電力消費実績情報取得部４１、かご運転情報取得部４２、非居室フロア特定部４３、電力情報生成部４４、表示制御部４５及び処理制御部４６を有している。電力消費実績情報取得部４１は、電力消費実績情報取得手段として設けられ、電力消費実績情報データベース３１に蓄積された電力消費実績情報を取得する。かご運転情報取得部４２は、かご運転ログデータベース３３に蓄積されたかご運転ログを取得する。非居室フロア特定部４３は、かご運転ログを解析することによってオフィスビルにおける非居室フロアを特定する。「非居室フロア」というのは、オフィスビルにおいて日常の業務が行われる部屋（居室）２０のない階（フロア）のことを示す。電力情報生成部４４は、電力情報生成手段として設けられ、電力消費実績情報取得部４１により取得された電力消費実績情報に基づいて、消費電力量に関する電力情報を、オフィスビルを複数に分割して形成される空間毎に生成する。本実施の形態では、空間として建造物の階を想定しているので、電力情報を階毎に生成する。表示制御部４５は、表示制御手段として設けられ、電力情報生成部４４により生成された電力情報のうち、乗客がかご１０に乗り込んだ階又は当該乗客の行き先階の少なくとも一方に対応付けられる空間の電力情報を、当該乗客に関連する消費電力情報として表示装置１１に表示させる。本実施の形態では、乗客がかご１０に乗り込んだ階及び当該乗客の行き先階（降りる階）の双方の階の電力情報を表示装置１１に表示させる。処理制御部４６は、電力情報表示制御装置４０において実行される各処理機能全体の実行制御を行う。
【００２６】
電力情報表示制御装置４０における各構成要素４１〜４６は、電力情報表示制御装置４０を形成するコンピュータと、コンピュータに搭載されたＣＰＵ５１で動作するプログラムとの協調動作により実現される。
【００２７】
また、本実施の形態で用いるプログラムは、通信手段により提供することはもちろん、ＣＤ−ＲＯＭやＤＶＤ−ＲＯＭ等のコンピュータ読み取り可能な記録媒体に格納して提供することも可能である。通信手段や記録媒体から提供されたプログラムはコンピュータにインストールされ、コンピュータのＣＰＵがプログラムを順次実行することで各種処理が実現される。
【００２８】
次に、本実施の形態における動作について説明する。
【００２９】
エレベータのかご１０は、オフィスビルのエレベータ乗り場に設置された呼び登録ボタン及びかご１０の中の操作盤１２上の行き先階ボタンが操作されることで各階を行き来することになる。エレベータ制御装置３２は、呼び登録ボタンの操作に応じて行き先階ボタンの操作が検出されると、乗客の行き先階ボタンに対する操作により指定された行き先階及びその操作日時を含む操作ログをかご運転ログとしてかご運転ログデータベース３３に登録する。また、エレベータ制御装置３２は、指定された行き先階で、あるいは呼び登録ボタンに対する操作に応じてかご１０を停止させると、その停止した階及びその停止した日時を含む乗降ログをかご運転ログとしてかご運転ログデータベース３３に登録する。
【００３０】
電力情報表示制御装置４０におけるかご運転情報取得部４２は、所定時間内にかご運転ログデータベース３３に蓄積されたかご運転ログを取得する。非居室フロア特定部４３は、取得されたかご運転ログを解析し、最も選択された行き先階を非居室フロアとして特定する。例えば、オフィスビルの１階が最も選択回数の多い階であった場合、１階を非居室フロアと特定する。例えば、非居室フロアとして１階が特定された場合、１階にこのオフィスビルの出入口があることが推定できる。
【００３１】
なお、本実施の形態では、非居室フロア特定部４３を設けて、かご運転ログを解析することによって、換言するとエレベータの利用状況から非居室フロアを自動的に特定するようにしたが、非居室フロアは、一般に固定されているので、基本的には、非居室フロア特定部４３を１度だけ使用すればよい。なお、管理者等によって非居室フロアを入力指定させるようにしてもよい。また、オフィスビルによっては、食堂等の共有施設専用の階が設けられている場合もあり得るので、非居室フロアとして複数の階を選出するようにしてもよい。
【００３２】
本実施の形態では、電力計測器２４を用いて、対応する部屋２０における所定期間内における消費電力量を常時計測する。電力計測器２４は、計測した消費電力量を当該部屋２０を特定する識別情報を付加して電力消費実績情報データベース３１に書き込む。ここでいう「所定期間」というのは、例えば、５分毎や３０分毎など予め決められた時間長である。
【００３３】
電力情報表示制御装置４０における電力消費実績情報取得部４１は、電力消費実績情報データベース３１に蓄積された所定期間における電力消費実績情報を取得する。本実施の形態では、消費電力量に関する電力情報を表示装置１１に表示するが、ここでいう「所定期間」というのは、その表示対象とする時間長のことをいう。例えば、現時点から直近３０分としたり、直近１時間から数時間の間における消費電力量を表示対象としてもよい。あるいは、前日（直前営業日）における消費電力量を表示対象としてもよい。電力情報生成部４４は、電力消費実績情報取得部４１により取得された所定期間における電力消費実績情報を、各階にある部屋２０の消費電力量を集計することによって電力情報を階毎に生成する。
【００３４】
なお、本実施の形態では、電力情報生成部４４によって電力情報を階毎に生成するようにしたが、階毎に集計した状態にて電力消費実績情報を電力消費実績情報データベース３１に蓄積するようにしてもよい。
【００３５】
以下、本実施の形態における電力情報の表示処理について図４に示したフローチャートを用いて説明する。
【００３６】
本実施の形態における表示処理は、いずれかの階に停止する度に実行が開始される。すなわち、いずれかの階に停止し、かご１０に乗ったエレベータの利用者（すなわち、「乗客」）が行き先階ボタンを操作することで行き先階を指定する。例えば、１５階より上の階に停止していたかご１０が、１５階、１２階、８階において呼び登録ボタンが押下され、各階から利用者がそれぞれかご１０に乗り込み、また、いずれかの乗客により行き先階として３階及び１階が指定されたとする。なお、以上のボタン操作は、かご運転ログとしてかご運転ログデータベース３３に登録され、また、表示制御部４５は、かご運転情報取得部４２により取得されたかご運転ログから、停止階及び指定された行き先階は認識している。すなわち、この例では、操作ログから１，３階が、乗降ログから８，１２，１５階が、それぞれ現在の下降方向のかご運転において表示対象として有効な階と認識している。
【００３７】
ところで、乗客が乗り込んできた階又は行き先階として指定された階（乗客が降りる階）のいずれかの階に、当該乗客が日常的に利用している部屋２０（以下、「居室」）がある可能性が高いと考えられる。つまり、エレベータは、乗り込んだ階に居室があって移動に利用される場合、あるいは、移動先から自分の居室のある階に戻る際に利用されるケースが多いと考えられる。従って、乗降ログ及び操作ログに基づき乗客が乗り降りする階を特定すれば、その特定した階が当該乗客に関連する階、すなわち居室のある階である可能性が高いと考えられる。
【００３８】
そこで、表示制御部４５は、取得されたかご運転ログから現在乗降階として指定されている階を特定すると（ステップ１０１）、それらの乗降階を表示対象候補の階として電力情報生成部４４により生成された電力情報を取得する（ステップ１０２）。そして、表示制御部４５は、取得した電力情報をかご１０の中に設置された表示装置１１に表示させる（ステップ１０３）。但し、表示対象とする階に、非居室フロア特定部４３により特定された非居室フロアが含まれている場合、その非居室フロアについての電力情報は表示対象から除く。このようにして表示装置１１に表示された電力情報の表示例を図５に示す。
【００３９】
図５では、昨日の電力消費実績情報に基づいて生成、表示された３，８，１２，１５階それぞれの電力情報を表示した例を示している。図５の例のように、表示対象としている電力情報は、乗客に関連する階、すなわち、非居室フロア（この例では１階）を除き、乗客が乗り込んだ階及び乗客により指定された行き先階（降りる階）における電力情報である。そして、図５では、消費電力量の高い順に並び替えて表示している。もちろん、表示する順番は、この例に限らず、消費電力量の小さい順でもよいし、階の順番でもよい。また、表示形式も図５に例示したグラフ形式に限定する必要はない。
【００４０】
本実施の形態によれば、オフィスビルにおける消費電力量に関する情報を、乗客に関連する情報として加工し、乗客に関連する階、換言すると乗客の乗降階の電力情報のみを表示することによって乗客に対して訴求力のある形態にて電力情報を表示するようにしたので、乗客は、自己に関わる情報として消費電力に関する電力情報に興味を抱きやすくなる。これにより、表示装置１１に表示された電力情報を見る確率を向上でき、また自分の居室のある階の消費電力量が相対的に高いようであれば、節電を心掛けようと考えることになるかもしれない。本実施の形態によれば、このようにして乗客に対して省エネ意識を啓発することが可能になる。
【００４１】
なお、本実施の形態では、乗客に関連する階の電力情報のみを表示するようにしたが、オフィスビル全体の各階の電力情報の全てを表示することを否定するものではない。人によっては、他の階との比較により、自己の階の消費電力量が相対的に大きいことを認識することによって省エネ意識が芽生える場合があるからである。従って、電力情報の表示形態としては、図５の例に限定するものではなく、乗客に関連しない階や非居室フロアにおける電力情報を参考までに表示するようにしてもよい。また、例えば、全ての階の電力情報を所定時間表示した後に、図５に例示した乗客に関連する電力情報のみを表示するようにしてもよい。また、消費電力量の平均値、管理者が省エネのために期待する消費電力量、あるいは消費電力量の増減に直接又は間接的に影響を与えるような気温、室温、天気等の情報も合わせて表示するようにしてもよい。
【００４２】
また、本実施の形態では、建造物を分割してなる空間として階を例にし、階毎に消費電力量を集計して、電力情報を表示するようにしたが、空間として、例えば、部屋２０毎など異なる空間単位にて電力情報を生成してもよい。また、個人情報等を参照して部署単位に電力情報を生成してもよい。
【００４３】
また、本実施の形態では、電力情報生成部４４は、電力消費実績情報に基づいて電力情報を階毎に生成し、表示制御部４５がその中から表示対象とする電力情報を抽出、表示するようにしたが、電力情報生成部４４に、表示対象となっていない階の電力情報、具体的には、非居室フロア、更に乗降階でない階に対応する電力情報を生成させないようにしてもよい。
【００４４】
以上説明した変形例に関しては、可能な範囲で後述する実施の形態においても適用するようにしてもよい。
【００４５】
実施の形態２．
上記実施の形態１では、オフィスビルの利用者に、当該利用者に関連する電力情報として当該利用者の居室のある空間（階）の電力情報をかご１０の表示装置１１に表示して、省エネ意識を啓発できるようにした。本実施の形態では、電力情報を個人毎に生成して、省エネ意識をより一層啓発できるようにした。
【００４６】
図６は、本実施の形態における電力情報表示システムを示した全体構成図である。図１と同じ構成要素には、同じ符号を付け、説明を適宜省略する。本実施の形態における電力情報表示システムは、実施の形態１に、各部屋２０に設置されるスマートタップ２５及びかご１０に設置される個人識別情報読取装置１３を追加した構成を有している。スマートタップ２５は、測定手段として設けられ、エレベータが設置された建造物内において各個人が使用する電気機器の消費電力量を測定する。具体的には、ＰＣ２１や卓上机（図示せず）など各個人が個人的に使用する電気機器における消費電力量が測定される。この測定された各個人の消費電力量は、当該個人の識別情報が付加されて電力計測器２４を介して電力消費実績情報データベース３１に蓄積される。
【００４７】
個人識別情報読取装置１３は、個人識別情報取得手段として設けられ、かご１０の乗客の個人識別情報を取得する。個人識別情報（以下、「個人ＩＤ」）というのは、各個人を識別しうる情報であり、例えば、指紋等の生体情報や各個人が携帯する社員証（ＩＤカード）に記録されているユーザＩＤなどである。個人ＩＤとして指紋を利用する場合、個人識別情報読取装置１３は、指紋読取装置で実現され、個人ＩＤとしてＩＤカードに記録されたユーザＩＤを利用する場合、個人識別情報読取装置１３は、カードリーダで実現される。なお、本実施の形態では、かご１０の乗客を識別するために個人識別情報読取装置１３をかご１０に設けるようにしたが、エレベータの乗り場側に設けてもよい。
【００４８】
図７は、本実施の形態における電力情報表示制御装置４０を示したブロック構成図である。図３と同じ構成要素には、同じ符号を付け、説明を適宜省略する。なお、電力情報表示制御装置４０のハードウェア構成は、実施の形態１と同じでよい。本実施の形態における電力情報表示制御装置４０は、実施の形態１において用意した非居室フロア特定部４３を有していない一方、個人ＩＤ取得部４７を有している。個人ＩＤ取得部４７は、個人識別情報取得手段として設けられ、個人識別情報読取装置１３と連携動作することによってかご１０の乗客の個人ＩＤを取得する。個人ＩＤ取得部４７は、個人識別情報読取装置１３と、コンピュータに搭載されたＣＰＵ５１で動作するプログラムとの協調動作により実現される。
【００４９】
次に、本実施の形態における動作について説明する。本実施の形態におけるかご運転ログの蓄積については、実施の形態１と同じでよいので説明を省略する。ただ、本実施の形態においては、かご運転ログを表示対象とする電力情報の選定の際に用いないので、電力情報表示制御装置４０にかご運転情報取得部４２を設けなくてもよい。
【００５０】
電力消費実績情報の蓄積に関しても基本的には実施の形態１と同じである。但し、本実施の形態における電力消費実績情報取得部４１は、電力消費実績情報データベース３１に蓄積された所定期間における電力消費実績情報のうち、ＰＣ２１等部屋２０での個人使用される電気機器における電力消費実績情報のみを取得する。電力情報生成部４４は、電力消費実績情報取得部４１により取得された所定期間における電力消費実績情報に基づいて電力情報を個人毎に生成する。
【００５１】
以下、本実施の形態における電力情報の表示処理について図８に示したフローチャートを用いて説明する。
【００５２】
停止したかご１０に乗り込むと、その乗客は、個人ＩＤを個人識別情報読取装置１３に読み取らせる。個人ＩＤが読み取られると、電力情報表示制御装置４０における個人ＩＤ取得部４７は、その個人ＩＤを取得する（ステップ２０１）。個人ＩＤが取得されると、表示制御部４５は、個人ＩＤ取得部４７から取得した個人ＩＤに対応する電力情報を電力情報生成部４４から取得する（ステップ２０２）。そして、表示制御部４５は、取得した当該乗客個人の電力情報をかご１０の中に設置された表示装置１１に表示させる（ステップ２０３）。このようにして表示装置１１に表示された電力情報の表示例を図９に示す。
【００５３】
図９では、昨日の電力消費実績情報に基づいて生成、表示された乗客（Ａさん，Ｄさん，Ｅさん，Ｔさん，Ｗさん）の電力情報を表示した例を示している。図９の例のように、表示対象としている電力情報は、各乗客が個人使用している電気機器における消費電力量である。そして、図９では、消費電力量の高い順に並び替えて表示している。もちろん、表示する順番は、この例に限らず、消費電力量の小さい順でもよいし、階の順番でもよい。また、表示形式も図９に例示したグラフ形式に限定する必要はない。
【００５４】
本実施の形態によれば、オフィスビルにおける消費電力量に関する情報を、乗客が個人的に使用している電気機器における消費電力情報に加工し、各乗客の電力情報として表示するようにしたので、乗客は、自己に直接的に関わる情報として電力情報を見ることになる。これにより、乗客に対して省エネ意識を啓発することが可能になる。特に、消費電力量が相対的に高い乗客に対する今後の省エネ行動が期待できる。
【００５５】
なお、乗客の電力情報は、当該乗客がかご１０に乗って個人ＩＤを読み取らせたタイミングで表示が開始されることになる。一方、表示の終了タイミングとしては、例えば一定時間後に表示対象から外すようにしてもよい。また、全ての乗客の電力情報を常に表示させておかなくてもよい。例えば、乗客が多い場合には、消費電力量の高い上位所定人数分を表示対象としてもよい。
【００５６】
実施の形態３．
上記実施の形態２では、乗客の個人毎に生成した電力情報を表示装置１１に表示して、省エネ意識をより一層啓発できるようにした。本実施の形態では、更に節電行動を取っていない乗客に対して、警告情報を発することで注意を喚起できるようにした。
【００５７】
図１０は、本実施の形態における電力情報表示システムを示した全体構成図である。図６と同じ構成要素には、同じ符号を付け、説明を適宜省略する。本実施の形態における電力情報表示システムは、実施の形態２に、部屋２０の出入口に設置される個人識別情報読取装置２６と、入退室管理装置３４と、入退室ログデータベース（ＤＢ）３５と、を追加した構成を有している。個人識別情報読取装置２６は、部屋２０に対する入退室者の個人識別情報を取得する。個人識別情報（個人ＩＤ）というのは、個人識別情報読取装置１３と同様、指紋等の生体情報や各個人が携帯する社員証（ＩＤカード）に記録されているユーザＩＤである。入退室管理装置３４は、部屋２０からの人の入退室を管理するコンピュータである。入退室ログデータベース３５は、退出情報記憶手段として設けられ、各個人の電気機器が設置された空間からの当該個人の退出を検出し、その退出が個人識別情報読取装置２６により検出された日時情報及び当該個人の個人識別情報を含む退出情報（退室ログ）が蓄積される。ここでいう「各個人の電気機器が設置された空間」というのは、当該個人の居室のことを意味する。更に、部屋２０への入室の場合も退室の場合と同様、入室が検出された日時情報及び当該個人の個人ＩＤを含む入室ログが蓄積される。
【００５８】
入退室管理装置３４は、部屋２０に対する入退室が個人識別情報読取装置２６により検出されると、入室ログ又は退室ログを生成して入退室ログデータベース３５に逐次登録する。なお、本実施の形態では、入退室ログデータベース３５を別途設けたが、入退室管理装置３４が保有する入退室に関するログ情報記憶手段を入退出情報記憶手段として利用してもよい。
【００５９】
図１１は、本実施の形態における電力情報表示制御装置４０を示したブロック構成図である。図７と同じ構成要素には、同じ符号を付け、説明を適宜省略する。なお、電力情報表示制御装置４０のハードウェア構成は、実施の形態１，２と同じでよい。本実施の形態における電力情報表示制御装置４０は、実施の形態２に示した構成に、退室情報取得部４８を追加した構成を有している。退室情報取得部４８は、退出情報取得手段として設けられ、個人識別情報読取装置２６により取得された個人ＩＤに対応する退室ログを少なくとも入退室ログデータベース３５から取得する。退室情報取得部４８は、コンピュータと、コンピュータに搭載されたＣＰＵ５１で動作するプログラムとの協調動作により実現される。
【００６０】
次に、本実施の形態における動作について説明する。本実施の形態におけるかご運転ログの蓄積については、実施の形態１と同じでよいので説明を省略する。ただ、本実施の形態においては、かご運転ログを表示対象とする電力情報の選定の際に用いないので、電力情報表示制御装置４０にかご運転情報取得部４２を設けなくてもよい。
【００６１】
電力消費実績情報の蓄積に関しては、実施の形態２と同じでよい。ただ、本実施の形態では、現時点における各個人の使用電力量を用いるので、電力消費実績情報データベース３１には、スマートタップ２５により測定された各個人の使用電力量が特定できるように記憶される。本実施の形態における電力情報生成部４４は、取得された電力実績情報に含まれる現時点における各個人の使用電力量を電力情報として生成する。
【００６２】
本実施の形態では、更に居室内で業務を行う従業員が部屋２０の入退室を行う際、個人ＩＤを個人識別情報読取装置２６に読み取らせる。これにより、前述したように、各従業員の入退室に伴う入退室ログが入退室管理装置３４により生成され、入退室ログデータベース３５に蓄積される。
【００６３】
以下、本実施の形態における電力情報の表示処理について図１２に示したフローチャートを用いて説明する。
【００６４】
停止したかご１０に乗り込むと、その乗客は、個人ＩＤを個人識別情報読取装置１３に読み取らせる。個人ＩＤが読み取られると、電力情報表示制御装置４０における個人ＩＤ取得部４７は、その個人ＩＤを取得する（ステップ３０１）。個人ＩＤが取得されると、表示制御部４５は、個人ＩＤ取得部４７から取得した個人ＩＤに対応する電力情報を電力情報生成部４４から取得する（ステップ３０２）。なお、上記説明では、電力情報生成部４４は、各個人の現時点の使用電力量を含む電力情報をすでに生成しているが、個人識別情報読取装置１３に個人ＩＤが読み取られてからその個人ＩＤに対応する乗客の電力情報のみを生成するようにしてもよい。
【００６５】
続いて、表示制御部４５は、電力情報生成部４４から取得した当該乗客の電力情報を参照して、その乗客が個人的に使用している電気機器が今なお電力を消費していることを検出した場合（ステップ３０３でＹ）、退室情報取得部４８は、当該乗客の居室からの退室情報を入退室ログデータベース３５から取得する（ステップ３０４）。なお、退出情報が居室からのであるかどうかは、例えばスマートタップ２５の設置箇所から特定できる。あるいは、入退室管理装置３４が管理している居室を特定する情報を含む個人情報を参照して、当該乗客の居室が特定できるようにしてもよい。そして、表示制御部４５は、退室情報取得部４８により取得された当該乗客の退室情報及び電力情報生成部４４から取得した当該乗客の電力情報を含む警告情報を生成して、表示装置１１に表示させる（ステップ３０５）。このようにして表示装置１１に表示された警告情報の表示例を図１３に示す。
【００６６】
図１３には、Ａさんに対する警告情報の例が示されている。この例のように、警告情報には、１５分という退室してからの経過時間や、２００Ｗという現時点における使用電力量を含めることで、無駄と考えられる消費電力量を乗客に提示している。更に、その電力消費を抑えるための対策も合わせて表示している。なお、図１３では、警告情報のみを表示する例を示したが、実施の形態２に例示した消費電力量を示す電力情報と共に、あるいは切り替えながら表示するようにしてもよい。
【００６７】
一方、乗客が個人的に使用している電気機器によって電力が消費されていない場合（ステップ３０３でＮ）、実施の形態１，２で説明したように通常の電力情報の表示を行う（ステップ３０６）。
【００６８】
本実施の形態によれば、単に省エネ意識を啓発するだけに留まらず、警告情報を表示することによって節電行動を取っていない乗客に対して注意を喚起し、省エネ行動を促すことができる。
【００６９】
なお、上記説明では、かご１０に乗り込んだ時点において、その乗客が個人的に使用している電気機器が電力を使用している場合に警告情報を表示するようにした。警告情報を表示するための条件としては、電力を消費していることに限定せずに、例えば、待機時消費電力の閾値を設定して、その閾値以上に電力が消費されていること、あるいは居室から退室してからの経過時間などを警告情報表示の条件として設定してもよい。
【００７０】
実施の形態４．
上記実施の形態２では、図９に例示したように複数の乗客それぞれの電力情報をまとめて表示装置１１に表示するようにした。本実施の形態では、乗客の行き先階に応じて表示内容を切り替えることができるようにした。
【００７１】
本実施の形態における電力情報表示システムの全体構成、電力情報表示制御装置４０のハードウェア構成及び機能ブロック構成は、実施の形態２と同じでよい。ただ、本実施の形態における電力情報表示制御装置４０の表示制御部４５は、個人識別情報読取装置１３により取得された乗客の個人ＩＤと当該乗客の行き先階とを対応付ける対応付け手段としても機能する。
【００７２】
例えば、現在、かご１０が停止している１階で、４階に行こうとするユーザＡと、９階に行こうとするユーザＢとが乗り込んだとする。この際、ユーザＡは、個人ＩＤを個人識別情報読取装置１３に読み取らせると共に行き先階ボタンを操作して行き先階として４階を指定する。続いて、ユーザＢは、個人ＩＤを個人識別情報読取装置１３に読み取らせると共に行き先階ボタンを操作して行き先階として９階を指定する。このユーザ操作に従って、表示制御部４５は、各ユーザの個人ＩＤと行き先階とを対応付ける。
【００７３】
ここで、かご１０の移動速度は決まっているので、現在停止している階と各行き先階までの移動に要する時間は、事前に計算できる。仮に、１階から次に停止する予定の４階までの移動時間が４秒で１階からその次に停止する予定の９階までの移動時間が９秒だったとする。なお、ここでは、説明の便宜上、４階での停止時間を無視すると共に、途中の階から乗り込もうとする者がいないものとする。この場合、表示制御部４５は、４階に到着するまでの間は、ユーザＡに関連する電力情報を電力情報生成部４４から取得して、表示装置１１に表示させる。本実施の形態において表示装置１１に表示された電力情報の表示例を図１４に示す。
【００７４】
図１４には、ユーザＢより先に４階で降りる予定のユーザＡに関連する電力情報が表示された例が示されている。この表示例によると、ユーザＡのスマートタップ２５により測定された過去１週間分の消費電力量の履歴が表示されている。また、ユーザＡに対する消費電力量の目標値を合わせて表示することによって省エネ行動を促している。なお、目標値の設定に関しては、本発明の要旨ではないので説明を省略する。
【００７５】
このように、本実施の形態では、次の行き先階に到着するまでの間は、次の行き先階で降りる乗客（ユーザＡ）に関連する電力情報のみを表示対象とする。一方、４階に到着した後、次の行き先階である９階に移動するまでの間は、その階で降りる予定の乗客（ユーザＢ）に関連する電力情報のみを表示対象とする。
【００７６】
本実施の形態によれば、各乗客の行き先階に応じて表示装置１１に表示すべき電力情報を異ならせることによって、つまり、次の行き先階で降りる予定の乗客に特化した電力情報を表示することによって当該乗客の省エネ意識を啓発することができる。
【００７７】
なお、本実施の形態では、次の行き先階で降りる予定の乗客に特化した電力情報を表示するものとして説明したが、例えば、１階から４階に移動する時間において、乗客に関連する電力情報として、実施の形態１に示したように階毎の電力情報（ここでは、４階と９階）及び／又は実施の形態２に示したように個人毎の電力情報（ここでは、ユーザＡとユーザＢ）と切り替え表示するようにしてもよい。
【００７８】
ところで、本実施の形態では、説明の便宜上、かご１０の乗客を２人とし、個人ＩＤを先に読み取らせた乗客と行き先階を先に指定した乗客とが同一人物であると仮定して対応付けた。ただ、実際にはこの順序で操作されるとは限らず、また、３人以上乗り込んだ場合、あるいは同じ行き先階を指定する人が乗り込んできた場合などを考慮すると、乗客の個人ＩＤと当該乗客の行き先階との対応付けは、簡単ではないと推測できる。この場合、表示制御部４５によりされた対応付けを、入退室管理装置３４が管理している個人情報等を参照することによって検証するようにしてもよい。つまり、個人情報を参照することで乗客の居室を特定し、指定された行き先階のうち当該乗客の居室のある階を当該乗客の行き先階と推定して、前述したような表示を行うようにしてもよい。
【００７９】
以上説明したように、かご１０に乗り込んだ乗客に関連した情報に消費電力量に関連する情報を加工してかご１０内の表示装置１１に表示するようにしたので、乗客に消費電力に関する情報に興味を持たせることができ、これによりオフィスビルのエレベータの利用者の省エネ意識を啓発することができる。なお、各実施の形態においては、それぞれ異なる形態の内容で表示装置１１に情報を表示するようにしたが、各実施の形態において説明した表示形態を適宜組み合わせて実施するようにしてもよい。
【符号の説明】
【００８０】
１０  かご、１１  表示装置、１２  操作盤、１３，２６  個人識別情報読取装置、２０  部屋、２１  ＰＣ、２２  空調機、２３  照明器具、２４  電力計測器、２５  スマートタップ、３１  電力消費実績情報データベース（ＤＢ）、３２  エレベータ制御装置、３３  かご運転ログデータベース（ＤＢ）、３４  入退室管理装置、３５  入退室ログデータベース（ＤＢ）、４０  電力情報表示制御装置、４１  電力消費実績情報取得部、４２  かご運転情報取得部、４３  非居室フロア特定部、４４  電力情報生成部、４５  表示制御部、４６  処理制御部、４７  個人ＩＤ取得部、４８  退室情報取得部、５１  ＣＰＵ、５２  ＲＯＭ、５３  ＲＡＭ、５４  ハードディスクドライブ（ＨＤＤ）、５５  ＨＤＤコントローラ、５６  ネットワークコントローラ、５７  内部バス。
【図１】
0005917310.tif 000002
【図２】
0005917310.tif 000003
【図３】
0005917310.tif 000004
【図４】
0005917310.tif 000005
【図５】
0005917310.tif 000006
【図６】
0005917310.tif 000007
【図７】
0005917310.tif 000008
【図８】
0005917310.tif 000009
【図９】
0005917310.tif 000010
【図１０】
0005917310.tif 000011
【図１１】
0005917310.tif 000012
【図１２】
0005917310.tif 000013
【図１３】
0005917310.tif 000014
【図１４】
0005917310.tif 000015